(57)【要約】【課題】  ユーザ操作の負担を軽減し、携帯型情報端末の通話機能を利用することができる「電子装置」を提供する。【解決手段】  携帯端末２０から提供される画面情報を表示可能な電子装置４０は、通話機能を有する携帯端末２０との間で接続を確立する接続手段と、携帯端末２０との接続が確立されたとき、携帯端末２０への直接的な入力操作が制限されかつ携帯端末２０への遠隔操作が可能となるターミナルモードを制御する制御手段と、携帯端末２０から提供された画面情報であってターミナルモードを解除するための解除ボタン３１０を含む画面情報３００を表示する表示手段と、解除ボタン３１０への入力を受け取る入力手段とを有する。制御手段は、解除ボタン３１０への入力があったとき、ターミナルモードを解除する。【選択図】  図５
2012129765.tif 000002
【特許請求の範囲】
【請求項１】
携帯型情報端末から提供される画面情報を表示可能な電子装置であって、
通話機能を有する携帯型情報端末との間で接続を確立する接続手段と、
前記接続手段により携帯型情報端末との接続が確立されたとき、携帯型情報端末への直接的な入力操作が制限されかつ携帯型情報端末への遠隔操作が可能となる動作モードを制御する制御手段と、
前記接続手段を介して提供された画面情報であって、前記動作モードの解除を可能にするための入力表記を含む画面情報を表示する表示手段と、
前記入力表記への入力を受け取る入力手段とを有し、
前記制御手段は、前記入力表記への入力があったとき、前記動作モードを解除する、電子装置。
【請求項２】
前記入力表記は、携帯型情報端末の着信情報を報知する、請求項１に記載の電子装置。
【請求項３】
携帯型情報端末から提供される画面情報を表示可能な電子装置であって、
通話機能を有する携帯型情報端末との間で接続を確立する接続手段と、
前記接続手段により携帯型情報端末との接続が確立されたとき、携帯型情報端末への直接的な入力操作が制限されかつ携帯型情報端末への遠隔操作が可能となる動作モードを制御する制御手段とを有し、
前記制御手段は、前記接続手段を介して提供された画面情報に基づき携帯型情報端末への着信があったことを検出したとき、前記動作モードを解除する、電子装置。
【請求項４】
前記接続手段は、携帯型情報端末に対し電源を供給する電源供給線を含み、前記制御手段は、前記電源供給線による電源供給を停止することにより前記動作モードを解除する、請求項１ないし３いずれか１つに記載の電子装置。
【請求項５】
携帯型情報端末から提供される画面情報を表示可能な電子装置であって、
通話機能を有する携帯型情報端末との間で接続を確立する接続手段と、
携帯型情報端末との間で音声情報の接続を確立する音声情報接続手段と、
前記接続手段により携帯型情報端末との接続が確立されたとき、携帯型情報端末への直接的な入力操作が制限されかつ携帯型情報端末への遠隔操作が可能となる動作モードを制御する制御手段と、
前記音声情報接続手段により音声情報の接続が確立されていないとき、携帯型情報端末の通話機能を操作するための画面情報を表示する表示手段と、
入力手段とを有し、
前記制御手段は、前記通話機能を操作するための画面情報について入力された操作情報を前記接続手段を介して携帯型情報端末に送信する、電子装置。
【請求項６】
前記表示手段は、前記音声情報接続手段による音声情報の接続が確立されかつ車両が走行中であるとき、前記通話機能を操作する画面情報の表示を制限する、請求項５に記載の電子装置。
【請求項７】
前記接続手段は、携帯型情報端末との間で音声情報の通信制御を行う、請求項５または６に記載の電子装置。
【請求項８】
請求項１、２または３に記載の電子装置と、当該電子装置に接続されかつ通話機能を有する携帯型情報端末とを有するメディアシステムであって、
携帯型情報端末は、前記動作モードを解除するための入力表記を含む画面情報を電子装置に送信する送信手段を含む、メディアシステム。
【請求項９】
携帯型情報端末は、着信があったとき、前記入力表記を含む画面情報を送信する、請求項８に記載のメディアシステム。
【請求項１０】
請求項３または４に記載の電子装置と、当該電子装置に接続されかつ通話機能を有する携帯型情報端末とを有するメディアシステムであって、
携帯型情報端末は、着信があったことを識別する識別情報を含む画面情報を電子装置に送信する送信手段を有する、メディアシステム。
【請求項１１】
請求項５ないし７いずれか１つに記載の電子装置と、当該電子装置に接続されかつ通話機能を有する携帯型情報端末とを有するメディアシステムであって、
携帯型情報端末は、前記通話機能を操作するための画面情報を送信する送信手段を有する、メディアシステム。
【請求項１２】
携帯型情報端末から提供される画面情報を表示可能な電子装置が実行する通話プログラムであって、
通話機能を有する携帯型情報端末との間で接続を確立するステップと、
前記接続ステップにより携帯型情報端末との接続が確立されたとき、携帯型情報端末への直接的な入力操作が制限されかつ携帯型情報端末への遠隔操作が可能となる動作モードを制御するステップとを有し、
携帯型情報端末から提供された画面情報であって、前記動作モードの解除を可能にするための入力表記を含む画面情報を表示するステップと、
前記入力表記への入力があったとき、前記動作モードを解除するステップと、
を有する通話プログラム。
【発明の詳細な説明】
【技術分野】
【０００１】
本発明は、携帯型情報端末が接続されたとき携帯型情報端末のアプリケーションを遠隔操作することができる電子装置に関し、特に、携帯型端末装置の通話機能の使用に関する。
【背景技術】
【０００２】
近年、スマートフォンなどに代表される高機能なポータブル装置の利用が増加している。このようなポータブル装置が車内に持ち込まれたとき、ポータブル装置を車載用電子装置に接続し、車載用電子装置においてポータブル装置のメディアデータなどを利用することが可能になっている。例えば特許文献１は、携帯電話の画面に表示された情報を車載器に表示する場合に、携帯電話の画面を大画面で表示する技術を開示している。
【先行技術文献】
【特許文献】
【０００３】
【特許文献１】特開２００３−２４４３４３号公報
【発明の概要】
【発明が解決しようとする課題】
【０００４】
車載用電子装置は、ＵＳＢケーブル等を介してスマートフォンが接続されたとき、スマートフォンのアプリケーションを遠隔操作することが可能なターミナルモードに移行する。ＵＳＢケーブルの接続中、すなわちターミナルモードでは、スマートフォンの直接的な入力操作が制限（ロック）され、車載用電子装置からのみ入力操作が可能となる。また、車両の走行中は、安全性の観点から、車載用電子装置から操作できるアプリケーションが限定される。
【０００５】
しかし、走行中でも、制限の対象となっているスマートフォンのアプリケーションを自由に操作したい事態が生じる。ユーザがスマートフォンを操作するためには、スマートフォンへの入力操作のロック解除のために、一旦、ＵＳＢケーブルを抜いて、ターミナルモードを解除する必要がある。また、車載用電子装置から再び操作したい場合は、ＵＳＢケーブルを再接続してターミナルモードにする必要がある。ＵＳＢケーブルの着脱は、両手が使えないと不便であり、ユーザが車を運転している場合は危険な操作となる。
【０００６】
また、ターミナルモードでは、スマートフォンの通話機能の使用にブルーツースの接続を前提している。しかし、車載用電子装置の機種によってはブルーツース機能を備えていないものもある。このため、ブルーツースが接続されていないと、スマートフォンへの入力操作がロックされるため、ユーザは、電話の発着信に関する操作を行うことができない。従って、この場合にも、ユーザは、一旦、ＵＳＢケーブルを外し、ターミナルモードを解除し、スマートフォンを操作して通話を行わなければならない。
【０００７】
本発明は、上記従来の課題を解決し、ユーザ操作の負担を軽減し、携帯型情報端末の通話機能を利用することができる電子装置を提供することを目的とする。
【課題を解決するための手段】
【０００８】
本発明に係る電子装置は、携帯型情報端末から提供される画面情報を表示可能であって、通話機能を有する携帯型情報端末との間で接続を確立する接続手段と、前記接続手段により携帯型情報端末との接続が確立されたとき、携帯型情報端末への直接的な入力操作が制限されかつ携帯型情報端末への遠隔操作が可能となる動作モードを制御する制御手段と、前記接続手段を介して提供された画面情報であって、前記動作モードの解除を可能にするための入力表記を含む画面情報を表示する表示手段と、前記入力表記への入力を受け取る入力手段とを有し、前記制御手段は、前記入力表記への入力があったとき、前記動作モードを解除する。好ましくは前記入力表記は、携帯型情報端末の着信情報を報知する。
【０００９】
本発明に係る電子装置は、携帯型情報端末から提供される画面情報を表示可能であって、通話機能を有する携帯型情報端末との間で接続を確立する接続手段と、前記接続手段により携帯型情報端末との接続が確立されたとき、携帯型情報端末への直接的な入力操作が制限されかつ携帯型情報端末への遠隔操作が可能となる動作モードを制御する制御手段とを有し、前記制御手段は、前記接続手段を介して提供された画面情報に基づき携帯型情報端末への着信があったことを検出したとき、前記動作モードを解除する。好ましくは前記接続手段は、携帯型情報端末に対し電源を供給する電源供給線を含み、前記制御手段は、前記電源供給線による電源供給を停止することにより前記動作モードを解除する。
【００１０】
本発明に係る電子装置は、携帯型情報端末から提供される画面情報を表示可能であって、通話機能を有する携帯型情報端末との間で接続を確立する接続手段と、携帯型情報端末との間で音声情報の接続を確立する音声情報接続手段と、前記接続手段により携帯型情報端末との接続が確立されたとき、携帯型情報端末への直接的な入力操作が制限されかつ携帯型情報端末への遠隔操作が可能となる動作モードを制御する制御手段と、前記音声情報接続手段により音声情報の接続が確立されていないとき、携帯型情報端末の通話機能を操作するための画面情報を表示する表示手段と、入力手段とを有し、前記制御手段は、前記通話機能を操作するための画面情報について入力された操作情報を前記接続手段を介して携帯型情報端末に送信する。
【００１１】
好ましくは前記表示手段は、前記音声情報接続手段による音声情報の接続が確立されかつ車両が走行中であるとき、前記通話機能を操作する画面情報の表示を制限する。好ましくは前記接続手段は、携帯型情報端末との間で音声情報の通信制御を行う。
【００１２】
本発明に係るメディアシステムは、上記した電子装置と、当該電子装置に接続されかつ通話機能を有する携帯型情報端末とを有するものであって、携帯型情報端末は、前記動作モードを解除するための入力表記を含む画面情報を電子装置に送信する送信手段を含む。好ましくは携帯型情報端末は、着信があったとき、前記入力表記を含む画面情報を送信する。本発明の更なるメディアシステムの携帯型情報端末は、着信があったことを識別する識別情報を含む画面情報を電子装置に送信する送信手段を有する。本発明の更なるメディアシステムの携帯型情報端末は、前記通話機能を操作するための画面情報を送信する送信手段を有する。
【００１３】
本発明に係る通話プログラムは、携帯型情報端末から提供される画面情報を表示可能な電子装置が実行するものであって、通話機能を有する携帯型情報端末との間で接続を確立するステップと、前記接続ステップにより携帯型情報端末との接続が確立されたとき、携帯型情報端末への直接的な入力操作が制限されかつ携帯型情報端末への遠隔操作が可能となる動作モードを制御するステップとを有し、携帯型情報端末から提供された画面情報であって、前記動作モードの解除を可能にするための入力表記を含む画面情報を表示するステップと、前記入力表記への入力があったとき、前記動作モードを解除するステップとを有する。
【発明の効果】
【００１４】
本発明によれば、携帯型情報端末から提供される画面情報に動作モードを解除するための入力表記を含ませることで、電子装置側から入力表記への入力を行うことで、動作モードを容易に解除することができる。さらに本発明によれば、携帯型情報端末から提供される画面情報に基づき着信があったことを検出した場合には、動作モードを解除するようにしたので、ユーザ入力によらず自動的に動作モードを解除することができる。さらに本発明によれば、音声情報接続手段による接続が確立されていない場合には、通話機能を操作するための画面情報を表示できるようにしたので、通話機能を操作するための画面情報への入力操作により通話を行うことができる。
【図面の簡単な説明】
【００１５】
【図１】本発明の実施例に係るメディアシステムの構成を示す図である。
【図２】図１に示す車載用電子装置の典型的な構成を示すブロック図である。
【図３】図１に示す携帯型情報端末の典型的な構成を示すブロック図である。
【図４】本発明の実施例に係るターミナルモードの基本動作を説明するフローチャートである。
【図５】本発明の第１の実施例に係る通話動作を説明するフローチャートである。
【図６】本発明の第２の実施例に係る通話動作を説明するフローチャートである。
【図７】本発明の第３の実施例に係る通話動作を説明するフローチャートである。
【図８】本発明の第４の実施例に係る通話動作を説明するフローチャートである。
【図９】図９（ａ）は走行制限時のメニュー画面の表示例、図９（ｂ）は走行制限の緩和時のメニュー画面の表示例である。
【発明を実施するための形態】
【００１６】
次に、本発明の実施の形態について図面を参照して詳細に説明する。好ましい実施態様では、移動体として自動車を例示し、自動車に電子装置が搭載された例を説明する。
【実施例】
【００１７】
図１は、本発明の実施例に係るメディアシステムの構成を示す図である。本実施例のメディアシステム１０は、携帯型情報端末２０（以下、携帯端末と略す）と、携帯端末２０が接続手段３０を介して接続された車載用電子装置４０（以下、電子装置と略す）とを含んで構成される。ここで、携帯端末２０は、ユーザ入力に応答して種々の情報処理を行う情報処理装置、コンピュータ装置などであることができ、その機能が特に制限されるものではなく、例えば、携帯電話機、スマートフォン、携帯型音声再生装置、携帯型映像再生装置、ポータブルの情報処理端末などであることができる。電子装置４０は、ユーザ入力に応答して種々の情報処理を行う情報処理装置、コンピュータ装置などであることができ、その機能が特に制限されるものではなく、例えば、ナビゲーション機能、オーディオ機能、ビデオ機能、テレビ機能、ラジオ機能などを含むことができる。電子装置４０と携帯端末２０とを接続する接続手段３０は、有線ケーブルまたは無線信号のいずれであってもよい。例えば、ＵＳＢケーブル、無線ＬＡＮ、ブルーツースなどを用いて両機器を接続することができる。
【００１８】
本実施例のメディアシステム１０では、電子装置４０に携帯端末２０が接続されたとき、両機器はターミナルモードで動作する。ターミナルモードでは、音声情報、画面情報および操作情報が機器間で転送され、携帯端末２０に表示される画面情報が電子装置４０に表示され、ユーザは、電子装置４０の画面を操作することで、携帯端末２０のアプリケーションを遠隔操作をすることができる。
【００１９】
携帯端末２０から電子装置４０へ転送される画面情報、および電子装置４０から携帯端末２０へ送信される操作情報（タッチパネルの座標情報やキー入力情報）は、ＲＦＢ（Remote Frame buffer）プロトコルを用いて通信制御される。音声情報は、ＲＴＰ（Real-time Transport Protocol）を用いて通信制御される。本実施例の好ましい態様では、ＵＳＢケーブルまたはＷＬＡＮにより両機器が接続されたときにターミナルモードで両機器が動作可能である。ターミナルモードでは、ブルーツースの利用を前提とし、両機器間がブルーツースにより接続された場合には、ブルーツースを利用して音声情報に関する信号の送受が行われる。
【００２０】
制約事項として、ターミナルモードでは、携帯端末２０への直接的な入力操作が制限され、つまり入力がロックされ、電子装置４０からのみユーザ入力が可能になる。また、車両の走行中では、電子装置４０に表示される画面情報に制限があり、例えば、ナビゲーション画面および音楽再生画面のみ表示可能にされ、携帯端末２０が保有する他のアプリケーションに関する情報の表示が制限される。さらに携帯端末２０による電話の発着信操作は、ブルーツース経由で行われる。
【００２１】
図２は、電子装置４０の典型的な構成を示すブロック図である。同図に示すように、電子装置４０は、ユーザからの入力を受け取る入力部１００、携帯端末２０との接続を確立する接続部１１０、ディスプレイに携帯端末２０からの画面情報等の種々の情報を表示する表示部１２０、音声を出力する音声出力部１３０、車両情報を検出する車両情報検出部１４０、制御部１５０、アプリケーション等を実行するためのプログラムを格納するプログラムメモリ１６０、音楽、映像、地図などの種々のデータを記憶するデータメモリ１７０、各部を接続するバス１８０とを備えている。
【００２２】
好ましくは、入力部１００は、リモコンやカーソルによる入力に加え、ディスプレイへのタッチパネル入力、ハンズフリー通話時のマイクロフォン４４を含む。なお、ハンズフリー通話時には、車内のスピーカ４２から音声が出力される。車両情報検出部１４０は、車両の走行に関する情報として、パーキングオン・オフ情報、車速情報などを検出する。また、プログラムメモリ１６０は、ナビゲーション機能、オーディオ機能、ビデオ機能などを実行するためのプログラムに加え、携帯端末２０が接続されたときに実行されるターミナルモードを制御するプログラムを有する。ターミナルモードは、上記したように、携帯端末２０と共働して、電子装置４０から携帯端末２０が保有するアプリケーションの起動などの遠隔操作を可能にし、携帯端末２０から提供される画面情報を表示部１２０に表示する。
【００２３】
図３は、携帯端末の典型的な構成を示すブロック図である。携帯端末２０は、ユーザからの入力を受け取る入力部２００、電子装置４０との接続を確立する接続部２１０、ディスプレイに種々の画像を表示する表示部２２０、音声を出力する音声出力部２３０、外部のサーバとデータ通信をしたり携帯電話機との通話を可能にする通信部２４０、制御部２５０、携帯端末２０が保有するアプリケーション等のプログラムを格納するプログラムメモリ２６０、音楽、映像、地図などのデータを記憶するデータメモリ２７０、各部を接続するバス２８０とを備えている。
【００２４】
好ましくはプログラムメモリ２６０は、電子装置４０に接続されときに実行されるターミナルモードを制御するプログラムを含む。ターミナルモードでは、携帯端末２０に表示する画面情報が電子装置４０に転送され、また、携帯端末２０の入力部２００への入力操作がロックされる。さらに携帯端末２０は、後述するように電話の着信時などにターミナルモードを解除するための入力を含む画面情報を電子装置４０へ送信する。
【００２５】
図４は、本実施例のターミナルモードの基本的な動作を説明するフローチャートである。電子装置４０および携帯端末２０は、接続部１１０および２１０を介して相互に接続されたか否かを確認し（Ｓ１０１）、接続が確認されると、電子装置４０および携帯端末２０はターミナルモードで動作する（Ｓ１０２）。ターミナルモードへの移行は、画面情報／操作情報の送受が可能となる接続が確認されれば十分であり、必ずしも音声情報のための接続の有無は不要である。従って、本例で言えば、ターミナルモードへの移行には、両機器がＵＳＢケーブルまたは無線ＬＡＮにより接続されていることが確認されればよく、ブルーツースの接続は要しない。
【００２６】
ターミナルモードに移行すると、電子装置４０の表示部１２０にはメニュー画面が表示され（Ｓ１０３）、電子装置４０から遠隔操作が可能なアプリケーションのアイコンなどが表示される。また、車両走行中には、遠隔操作が可能なアプリケーションのアイコンの表示が制限される。電子装置４０は、入力部１００を介してメニュー画面への入力操作（例えば、タッチ入力）が行われたか否かを監視し（Ｓ１０４）、入力が行われた場合には、入力座標またはキー情報等の操作情報が携帯端末２０へ送信される（Ｓ１０５）。携帯端末２０は、受信した操作情報に基づき該当するアプリケーションを起動する（Ｓ１０６）。アプリケーションが起動されると、携帯端末２０は、表示部２２０に表示する画面情報と同一の画面情報を電子装置４０に転送し（Ｓ１０７）、転送された画面情報が電子装置４０の表示部１２０に表示される（Ｓ１０８）。
【００２７】
次に、本発明の第１の実施例に係る通話動作について図５のフローを参照して説明する。ここでは、携帯端末２０と電子装置４０がＵＳＢケーブルにより接続されるものとする。ＵＳＢケーブルは、ＵＳＢ規格を遵守したデータ転送用のケーブルであり、ＵＳＢ（ユニバーサル・シリアル・バス）とは、シリアルデータ転送を行うためのバス規格の一つである。ＵＳＢは、少なくとも、電力を供給するＶＢＵＳ（電力供給線）、信号線Ｄ＋、信号線Ｄ−、およびグランド（ＧＮＤ）の４本の信号線を備える。２本の信号線Ｄ＋／Ｄ−は、データ信号を転送する信号線であり、それぞれ差動信号の関係にある。ＵＳＢには、複数の規格１．０、２．０、３．０があり、ＵＳＢ２．０は、上記の４本のピンまたは信号線を持つのに対して、ＵＳＢ３．０は、１０本のピンまたは信号線をもつ。
【００２８】
ＵＳＢケーブルにより接続された携帯端末２０および電子装置４０がターミナルモードに移行すると（Ｓ２０１）、携帯端末２０から電子装置４０に画面情報が転送され、電子装置４０の表示部１２０に画面情報が表示される。本実施例では、図５（ｂ）に示すように、転送される画面情報３００にはターミナルモード解除ボタン３１０が含まれている。このターミナルモード解除ボタン３１０は、ターミナルモード期間中、画面情報内に常時表示される（Ｓ２０２）。ターミナルモード解除ボタン３１０は、予め決められた位置に表示され、電子装置４０の制御部１５０は、その位置情報からターミナル解除ボタン３１０を識別することができる。
【００２９】
ユーザは、ターミナルモードの解除を望むとき、タッチ入力等により解除ボタン３１０への入力操作を行う（Ｓ２０３）。制御部１５０は、解除ボタン３１０への入力操作を受け取ると、その位置情報からターミナル解除ボタン３１０がユーザによって選択されたことを知り、電子装置４０から携帯端末２０に供給されるＵＳＢケーブルの電源を停止する（Ｓ２０４）。これにより、両機器において、相手方の機器の接続を確認することができなくなり、ターミナルモードが一時的に切断される（Ｓ２０５）。
【００３０】
ターミナルモードの期間中、携帯端末２０に対するユーザ操作は不可であるが、ターミナルモードが切断されたことで、携帯端末２０に対するユーザ操作が可能になる。これにより、ユーザは、携帯端末２０が保有するアプリケーションを自由に操作することができる。また、ユーザは、ＵＳＢケーブルの取り外しを行う必要がなくなり、運転中の危険な操作を回避させることができる。なお、携帯端末２０と電子装置４０とが無線ＬＡＮ等によって接続されている場合には、制御部１５０は、電源供給を停止する代わりに、自身の無線接続機能を停止させてもよい。再度、ターミナルモードに移行する場合には、ＵＳＢケーブルを再接続するか、自身の無線接続機能を再開させることで、両機器の接続が確認されるようにする。
【００３１】
なお、上記実施例では、携帯端末２０から転送される画面情報にターミナルモード解除ボタン３１０を含ませるようにしたが、電子装置４０が、携帯端末２０から転送される画面情報にターミナルモード解除ボタン３１０を合成して表示するようにしてもよい。
【００３２】
次に、本発明の第２の実施例について図６を参照して説明する。第２の実施例では、携帯端末２０と電子装置４０とは、音声情報を送受するブルーツースにより接続されていないことを前提とする。両機器がターミナルモードに移行すると（Ｓ３０１）、電子装置４０の表示部１２０には、携帯端末２０から転送された画面情報が表示される。ここで、携帯端末２０に電話着信があると（Ｓ３０２）、携帯端末２０は、図６（ｂ）に示すように、電話ボタン３３０を含む画面情報３２０を電子装置４０に転送する。これにより、電子装置４０の表示部１２０には、電話ボタン３３０を含む画面情報３２０が表示される（Ｓ３０３）。電話ボタン３３０は、予め決められた位置に表示され、電子装置４０の制御部１５０は、その位置情報から電話ボタン３３０を識別することができる。
【００３３】
ユーザは、着信に応答することを望む場合には、電話ボタン３３０を選択するような入力操作を行う（Ｓ３０４）。制御部１５０は、電話ボタン３３０がユーザによって選択されたことを知り、ＵＳＢケーブルの電源供給を停止する（Ｓ３０５）。これにより、ターミナルモードが一時的に切断される（Ｓ３０６）。ターミナルモードが解除されたことで、携帯端末２０への入力操作が可能になるため、ユーザは、携帯端末２０への電話操作を行い、着信電話に応答することが可能になる。
【００３４】
携帯端末２０に着信があった場合、携帯端末２０は、着信音を発生させるが、ブルーツースが非接続の状態では、電子装置４０において発着信の操作を行うことができず、さらにターミナルモードでは、携帯端末２０の入力操作がロックされるが、本実施例では、着信があったとき、これをトリガーにして、着信を知らせかつターミナルモードを解除するための入力表記として電話ボタン３３０を表示するようにしたので、ユーザは、簡易な操作によって迅速にターミナルモードを終了させ、携帯端末２０から着信電話へ応答することが可能になる。
【００３５】
次に、本発明の第３の実施例について図７のフローを参照して説明する。第２の実施例では、ユーザが電話ボタン３３０への入力操作を行うことでターミナルモードを解除したが、第３の実施例では、着信時に自動的にターミナルモードを解除するものである。ターミナルモードに移行し（Ｓ４０１）、携帯端末２０に着信があると（Ｓ４０２）、携帯端末２０は、着信があったことを識別可能な画面情報または割込み画面を電子装置４０に転送する。電子装置４０は、例えば図７（ｂ）に示すように、着信情報３５０を含む画面情報３４０を受信し、これを表示する（Ｓ４０３）。さらに制御部１５０は、画面情報３４０に含まれる識別情報に基づき着信があったことを検出し（Ｓ４０４）、ＵＳＢケーブルの電源供給を停止し（Ｓ４０５）、ターミナルモードを一時的に切断する（Ｓ４０６）。第３の実施例によれば、ユーザは、ターミナルモードを解除するための入力操作を行うことなく、即座に携帯端末２０から電話に応答することができる。
【００３６】
次に、本発明の第４の実施例について図８のフローを参照して説明する。電子装置４０がターミナルモードに移行すると（Ｓ５０１）、制御部１５０は、接続部１１０を介して電子装置４０が携帯端末２０とブルーツース接続されているか否かを判定する（Ｓ５０２）。ブルーツース接続されている判定した場合には、通常の走行制限のアプリケーションのアイコンが表示されるメニュー画面を表示する（Ｓ５０３）。他方、ブルーツースが非接続であると判定された場合には、走行制限が緩和されたメニュー画面を表示する（Ｓ５０４）。
【００３７】
図９（ａ）は、通常の走行制限時のメニュー画面の例であり、メニュー画面４００には、ナビゲーションのアイコン４１０と、オーディオ再生のアイコン４２０が表示される。走行時の安全性の観点から、電子装置４０から遠隔操作できるアプリケーションがナビゲーションとオーディオ再生の２つに制限される。図９（ｂ）は、走行制限の緩和時のメニュー画面の例である。メニュー画面４００Ａに、アイコン４１０、４２０に加えて、通話機能に関するアイコン４３０が表示される。走行中に、アイコン４３０への操作が行われると、その操作情報が携帯端末２０に送信され、通話機能のアプリケーションが起動される。そして、携帯端末２０から電話の発着信操作に関する画面情報が電子装置４０に転送され、表示部１２０に表示される。ユーザは、発着信操作に関する画面情報への入力操作を行うことで通話機能を使用することが可能となる。なお、好ましい例では、制御部１５０は、ターミナルモードに移行すると、ブルーツースの接続の有無に応じて、遠隔操作が可能なアプリケーションのアイコンの送信を携帯端末２０に要求し、携帯端末２０から送信されたアイコンを含むメニュー画面を表示部１２０に表示する。
【００３８】
また、携帯端末２０と電子装置４０とがブルーツース接続されている場合には、音声情報の送受や電話の発着信による操作は、ブルーツースを介してＲＴＰ(Real-time Transport Protocol)により通信制御される。他方、ブルーツースが非接続である場合には、音声情報の送受は、ＵＳＢケーブルまたは無線ＬＡＮを介してＲＴＰにより行われる。ＲＴＰによる制御は、電子装置４０および携帯端末２０の制御部１５０、２５０によって行われる。さらに好ましくは、制御部１５０は、ハンズフリー通話をサポートするアプリケーションを備える。図１に示すように、電子装置４０には、車内スピーカ４２と、サンバイザー等に固定された音声を入力するマイクロフォン４４とが接続され、これらはハンズフリー通話の際に利用される。このように第４の実施例では、ブルーツースが非接続であっても、すなわち音声情報の送受のための接続がない場合であっても、表示部１２０に表示された電話の発着信操作に画面情報を利用して通話を行うことができる。
【００３９】
以上、本発明の好ましい実施の形態について詳述したが、本発明は、特定の実施形態に限定されるものではなく、特許請求の範囲に記載された本発明の要旨の範囲内において、種々の変形・変更が可能である。上記実施例では、携帯端末２０と電子装置４０との接続にＵＳＢケーブルを利用したが、これ以外の有線ケーブルを用いるものであってもよい。さらに、音声情報の送受にブルーツースを利用したが、これ以外の無線通信または有線通信を用いるものであってもよい。さらに上記実施例で示した電子装置４０および携帯端末２０が備える機能は一例であって、本発明は、これに限定されるものではない。
【符号の説明】
【００４０】
１０：メディアシステム                  ２０：携帯型情報端末
３０：接続手段                          ４０：車載用電子装置
３００、３２０、３４０：画面情報      ３１０：解除ボタン
３３０：電話ボタン                    ３５０：着信情報
４００、４００Ａ：メニュー画面        ４１０、４２０、４３０：アイコン
【図１】
2012129765.tif 000003
【図２】
2012129765.tif 000004
【図３】
2012129765.tif 000005
【図４】
2012129765.tif 000006
【図５】
2012129765.tif 000007
【図６】
2012129765.tif 000008
【図７】
2012129765.tif 000009
【図８】
2012129765.tif 000010
【図９】
2012129765.tif 000011